(57)【要約】【課題】  梱包物を安全確実に梱包して、あらゆる現場状況に対応して安全に運搬できる梱包容器を提供する。【解決手段】  緩衝材によって直方体形の箱型に構成した容器本体１を構成し、この容器本体１の内部底面に梱包物２を載置する底板１０を構成し、上端には蓋体１５、１６・・を構成し、容器本体１の底面に底面補強ベルト２９を、前面と背面にも補強ベルト２１、２２をそれぞれ構成し、さらに前記補強ベルト２１、２２の上端に上部把手２５、２６を連設すると共に、左側面１３と右側面１４に側面補強ベルト２３、２４と側部把手２７、２８を構成した。【選択図】図１
0003132127.tif 000002
【実用新案登録請求の範囲】
【請求項１】
緩衝材によって構成した箱型の容器本体の内部底面に底板を載置し、
前記容器本体の前面にショルダ部を取り付け、前面と背面及び底面の表面に補強ベルトを固定すると共に、
前記前面と背面の補強ベルトの上端に上部把手と長さ調節可能な締結ベルトを取り付け、
前記容器本体の左側面と右側面に側部把手を取り付けた梱包容器。
【考案の詳細な説明】
【技術分野】
【０００１】
本考案は、通信機器あるいは医療機器などの精密機材を梱包して安全に運搬できる梱包容器に関するものである。
【背景技術】
【０００２】
従来より、ビデオデッキのような電子機器を輸送時の事故から守るための梱包容器が提案されていた。
【特許文献１】特開平９−２２６８７８号
【０００３】
上記特許文献１に開示された発明は、電子機器を載置するための底板と、底板に一端が固定されたカバー部材と、カバー部材を電子機器を包み込んだ状態で固定するための固定手段と、底板に一端が固定された帯状固定部材と、底板の表面の中央部に支持脚が跨ぐように配された緩衝材と、底板の裏面に配された緩衝材と、底板が収納される箱型の容器と、容器の上面を覆う蓋体とを有する梱包容器である。
【０００４】
そして前記発明の目的は、様々な大きさの電子機器を梱包でき、梱包された電子機器を輸送時の事故から守り、また何回でも再使用可能な梱包容器を提供することにある。
【０００５】
しかしながら前記発明は、内部にカバー部材や緩衝材を取り付けてなるため内部の構成が複雑である。また外部に梱包容器を吊り下げるための把手がないため持ち運びに不便であり、常に二人で抱えなくてはならず、特に足場の悪い現場では作業効率が悪いという問題点があった。
【考案の開示】
【考案が解決しようとする課題】
【０００６】
本考案は上記の点に鑑みなされたものであり、梱包物を安全、確実に梱包して、山道など足場の悪い現場やビルの塔屋などの高所等、あらゆる作業現場状況に対応して安全に運搬できる梱包容器を提供するものである。
【課題を解決するための手段】
【０００７】
本考案の要旨とするところは、緩衝材によって構成した箱型の容器本体の内部底面に底板を載置し、前記容器本体の前面にショルダ部を取り付け、前面と背面及び底面の表面に補強ベルトを固定すると共に、前記前面と背面の補強ベルトの上端に上部把手と長さ調節可能な締結ベルトを取り付け、前記容器本体の左側面と右側面に側部把手を取り付けた梱包容器である。
【考案の効果】
【０００８】
本考案は上記の如き構成であるため、梱包物を容器本体内に安全、確実に収納して、締結ベルト等を使用して確実に梱包することができる。運搬時には容器本体を上部把手によって吊り下げたり、あるいは側部把手によって二人で持ち上げたり又はクレーンで吊り上げることができるため、作業者に過度の負担をかけず梱包物を安全に運搬できる。
さらにショルダ部で容器本体を背負うことで、足場の悪い現場や高所などのあらゆる作業現場状況に対応して梱包物を安全に運搬できる等の効果を奏する。
【考案を実施するための最良の形態】
【０００９】
本考案を実施するための最良の形態は、緩衝材によって直方体形状の容器本体を構成し、この容器本体の内部底面に梱包物を載置する底板を構成し、上端には蓋体を構成する。そして容器本体の底面に底面補強ベルトを、前面と背面には前面補強ベルトと背面補強ベルトをそれぞれ構成する。さらに前面補強ベルトと背面補強ベルトの上端にそれぞれ上部把手と締結ベルトを連設すると共に、左側面と右側面に側面補強ベルトと締結ベルト及び側部把手を構成した梱包容器である。
【００１０】
以下、本考案の第１実施形態を図に基づいて説明する。
図１は第１実施形態の斜視図、図２は同一部を省略した展開図、図３は同中央縦断面図、図４ないし図７は同梱包容器の梱包状態を示す斜視図、図８ないし図１０は同梱包容器の運搬方法を示す説明図である。
【００１１】
本実施形態の梱包容器の主要部である容器本体１は直方体形状の箱型であり、容器本体１を構成する前面１１、背面１２、左側面１３、右側面１４、蓋体１５、１６、１７、１８は緩衝材によって構成されている。この緩衝材はクッション機能と防水機能を有したキルティング状の素材によって構成し、例えばトラック輸送の際に使用されるシートを使用できる。この容器本体１の内部底面に梱包物２を載置するためのクッション機能を有する底板１０を固定してある。
また、前記緩衝材に断熱機能を有するものを用いれば、寒冷地でも使用できる。
【００１２】
前記前面１１には、上端と下端にショルダ部３０の上下端を取り付けると共に、表面に縦方向に２本の平行な前面補強ベルト２１を固定してある。前記ショルダ部３０は、後述のように容器本体１を背負うために用いるものであり、バックル４２によって長さ調節可能になっている。
また前面１１の上端は蓋体１５を延設してあり、その先端に面状ファスナ１５aを設けてある。
【００１３】
前面１１と対向する背面１２には、上述の前面１１と同様に縦方向に２本の平行な背面補強ベルト２２を固定し、背面１２の上端には蓋体１６を延設してあり、その先端に面状ファスナ１６aを構成してある。
【００１４】
前記前面補強ベルト２１の上端に上部把手２５を、背面補強ベルト２２の上端に上部把手２６をそれぞれ取り付ける。
さらに前面補強ベルト２１の上端には、締結ベルト３１の一端を固定し、背面補強ベルト２２の上端にも、締結ベルト３２の一端を固定し、これらの締結ベルト３１、３２は長さ調節機能を有するバックル４１によって締結される。
【００１５】
一方、容器本体１の左側面１３表面には、上述の前面１１と同様に縦方向に２本の平行な側面補強ベルト２３を固定し、さらに中央付近に側部把手２７を設けてある。この側部把手２７は、両端が側面補強ベルト２３上に固定されていて、後述のように運搬時に手で掴んだりフックをかけたりするものである。
左側面１３の上端には蓋体１７を延設してあり、その先端に面状ファスナ１７aを設けてある。
【００１６】
また、右側面１４も前記の左側面１３と同様の構成であり、縦方向に２本の平行な側面補強ベルト２４と側部把手２８を構成し、上端には蓋体１８を延設してあり、その先端に面状ファスナ１８aを設けてある。
【００１７】
前記左側面１３の側面補強ベルト２３の上端には、締結ベルト３３の一端を固定し、右側面１４の側面補強ベルト２４の上端にも締結ベルト３４の一端を固定し、これらの締結ベルト３３、３４は、長さ調節機能を有する２個のバックル４４によって締結される。
【００１８】
さらに、容器本体１の底面１９には、前記前面補強ベルト２１と背面補強ベルト２２を連結するように、２本の平行な底面補強ベルト２９が固定されている。
【００１９】
次に、図４ないし図７に基づいて本実施形態の作用を説明する。
まず図４に示すように、容器本体１の蓋体１５、１６、１７、１８を開けて、内部底面に設けた底板１０に梱包物２を載置する（図３参照）。その後、図５のように蓋体１７と蓋体１８を重ねて、面状ファスナ１７ａ、１８ａを固定して閉じ、次いで図６のように蓋体１５、蓋体１６を閉じて面状ファスナ１５ａ、１６ａを固定して閉じる。
【００２０】
次に図７のように、締結ベルト３１，３１と締結ベルト３２，３２をバックル４１，４１で締結し、締結ベルト３３，３３と締結ベルト３４，３４をバックル４４，４４で締結する。その後、把手２５、２６をあわせて把手カバー２５aで固定する。
これによって容器本体１は完全に閉鎖され、内部の梱包物２は外部の湿気やホコリ、あるいは衝撃等から保護されて安全に容器本体１内に収納される。さらに容器本体１が転倒した場合などにも蓋体１５、１６、１７、１８と締結ベルト３１、３２、３３、３４の作用で外部に飛び出すおそれもない。
【００２１】
また、梱包物２が小さい場合には、バックル４１、４４に設けてある補強ベルトの長さ調節機能を使用して、締結ベルト３１、３４の長さを短くして容器本体１の上部を絞ることができるので、梱包物２を確実に固定することができる。
【００２２】
容器本体１の運搬に際しては、梱包物２が軽量物であれば図８に示すように、上部把手２５、２６を一人で持って運ぶことができる。また、梱包物２が重量物であれば、図示はしないが側部把手２７、２８を二人で持ち上げて運ぶことができる。
この運搬時に、各面に固定した補強ベルト２１、２２、２３、２４によって容器本体１の強度が増し、いわゆる底抜けが防げるのである。このため、容器本体１は相当の重量の梱包物２に耐えることができ、効率的な運搬作業ができるのである。
【００２３】
また、ビルの屋上に設けられた塔屋への運搬あるいは山道での運搬のように作業現場の足場が悪い場合は、図９のように容器本体１をショルダ部３０によって背負って運搬することができる。
さらに細い螺旋階段のように容器本体１を背負っても登ることのできない狭隘な場所では、図１０のように側部把手２７、２８にフック５０をかけて、ワイヤー５１をクレーン（図示せず）で吊り上げることができる。これによって、３０〜５０ｋｇに及ぶ重量のある通信機材を安全、迅速に高所に運ぶことができるのである。
【図面の簡単な説明】
【００２４】
【図１】本考案の第１実施形態の斜視図
【図２】本考案の第１実施形態の一部を省略した展開図
【図３】本考案の第１実施形態の中央縦断面図
【図４】本考案の第１実施形態の梱包容器の梱包状態を示す斜視図
【図５】本考案の第１実施形態の梱包容器の梱包状態を示す斜視図
【図６】本考案の第１実施形態の梱包容器の梱包状態を示す斜視図
【図７】本考案の第１実施形態の梱包容器の梱包状態を示す斜視図
【図８】本考案の第１実施形態の梱包容器の運搬方法を示す説明図
【図９】本考案の第１実施形態の梱包容器の運搬方法を示す説明図
【図１０】本考案の第１実施形態の梱包容器の運搬方法を示す説明図
【符号の説明】
【００２５】
１  容器本体
１０  底板
１１  前面
１２  背面
１３  左側面
１４  右側面
１９  底面
２１  前面補強ベルト
２２  背面補強ベルト
２３  側面補強ベルト
２４  側面補強ベルト
２５  上部把手
２６  上部把手
２７  側部把手
２８  側部把手
２９  底面補強ベルト
３１  締結ベルト
３２  締結ベルト
３３  締結ベルト
３４  締結ベルト
【図１】
0003132127.tif 000003
【図２】
0003132127.tif 000004
【図３】
0003132127.tif 000005
【図４】
0003132127.tif 000006
【図５】
0003132127.tif 000007
【図６】
0003132127.tif 000008
【図７】
0003132127.tif 000009
【図８】
0003132127.tif 000010
【図９】
0003132127.tif 000011
【図１０】
0003132127.tif 000012